(57)【要約】【課題】印刷製版データの直し作業中に、対話的にデータベースの更新を行うデータベース更新機能を備えたＤＴＰ編集装置を提供することを課題とする。【解決手段】印刷製版データから抽出すべき文字情報項目を定義し、データベースのフィールドとの対応を設定し、それら文字情報項目を印刷製版データから抽出する条件を設定する抽出項目設定手段と、各小区画部分に対応した印刷製版データの文字図形オブジェクトを後に行う情報抽出の処理単位である抽出部品として定める抽出部品登録手段と、前記抽出項目設定手段の設定に基づいて、印刷製版データから抽出すべき文字情報を特定して、対応するフィールド項目のデータとしてデータベースを更新する更新データを作成する情報抽出手段と、データベースへの登録参照更新リクエストを行うデータベース接続手段と、を備えるＤＴＰ編集装置により上記課題を解決する。【選択図】  図１
2004171170.tif 000002
【特許請求の範囲】
【請求項１】
商品スペック等の小区画部分の集合として構成される印刷製版データから、小区画部分毎に、指定された条件で文字情報を抽出してデータベースファイルを更新するＤＴＰ編集装置であって、
印刷製版データを作成し編集するＤＴＰ編集レイアウト手段と、
小区画部分から抽出すべき文字情報の項目を定義し、それら文字情報項目を印刷製版データから抽出する条件を設定する抽出項目設定手段と、
前記設定した抽出項目と、データベースの項目の対応を定義することで、データベースへの更新対象を特定するデータベース項目対応付手段と、
それぞれの小区画部分に対応した印刷製版データの文字図形オブジェクトを後に行う情報抽出の処理単位である抽出部品として定める抽出部品登録手段と、
前記抽出項目設定手段の設定に基づいて、印刷製版データから抽出すべき文字情報を特定して、対応するフィールド項目のデータとし、データベースファイルへの更新リクエストデータを作成する情報抽出手段と、
データベースとの論理的な接続およびデータベースへの更新リクエストの発行を行い、データベースとの接続、更新の諸機能をこのＤＴＰ編集装置に提供するデータベース接続手段と、
を備えることを特徴とするＤＴＰ編集装置。
【請求項２】
コンピュータにインストールすることにより請求項１に記載のＤＴＰ編集装置を実現するための一連の命令を記述したコンピュータプログラム。
【発明の詳細な説明】
【０００１】
【発明の属する技術分野】
本発明は、データベース更新機能を備えたＤＴＰ編集装置またはそのためのソフトウエアに関する。
【０００２】
【従来技術】
商品カタログ等の定形デザインのＤＴＰ編集を合理的に進めるためにデータベースとＤＴＰ編集レイアウトシステムを連携させた制作システムが開発され、カタログ制作等に活用されてきた。例えば、特許文献１には、商品に関する文字データを文字組み体裁情報とともに保持する文字データベースと、商品に関する画像データを保持する画像データベースと、商品に関する文字組み体裁を保持する文字組体裁データベースと、オペレータがレイアウトドキュメントを指定すると前記文字組体裁情報により、文字組体裁を選択し選択された文字組み体裁に従って前記文字データと前記画像データを流し込み配置する配置手段とを具備するページレイアウトシステム（以下既存システム１）が開示されている。
【０００３】
スペック情報を蓄積したデータベースを構築したうえで、このような既存システム１を用いることにより、商品カタログ等の編集作業に要する労力を大幅に省力化することができた。ＤＴＰドキュメントデータへの商品スペックデータの配置がデータベースから連続的に自動的に行われるからである。しかしながら、印刷物の制作工程において、ＤＴＰ編集中に商品スペックの情報が変更されることが発生し、ＤＴＰドキュメントデータの直しが必要となるのが普通である。したがって、既存システム１での編集作業中に発生する直しは、ＤＴＰドキュメントデータに対して手作業で行うことが多かった。下版間際には時間的余裕がない場合が普通であり、データベース上の商品スペックを直してから再び流し込みを行うより、直接ＤＴＰドキュメントデータに直しを入れる方が速いからである。
【０００４】
したがって、データベースの内容と、ＤＴＰドキュメントの直した部分において内容の不整合が生じ、どこかのタイミングでデータベース上の情報を手直しする必要があった。そこで、従来は、下版後の出力物を見て必要箇所についてオペレータがデータベースへ再入力を行ったり、下版時のＤＴＰドキュメントから必要な部分のデータを抜き出しテキストデータとして出力した後、データベースの更新をかける作業が必要であった。図１３はこのような従来方法を説明する概念図である。テキストデータ８は、データベースから出力したＤＴＰドキュメントに流し込むためのスペックデータ等である。テキストデータ９は下版データに合わせてデータベースを更新するために作成したデータベース修正用のテキストデータである。
【０００５】
【特許文献１】
特開２０００−２９８７５号公報（第２−５頁、第１−１４図）
【０００６】
【発明が解決しようとする課題】
従来方法では、下版データとデータベースの内容の整合性を確保するために、データの再入力により、またはデータベース更新用のテキストデータの作成、ならびに作成したテキストデータによるデータベースの更新を行う必要があり、作業者の手間がかかった。そこで、下版時に、ＤＴＰドキュメントの直した部分においてデータベース内容との不整合が生じないよう、ＤＴＰドキュメントの直し作業中に対話的にデータベースの更新を行うデータベース更新機能を備えたＤＴＰ編集装置を提供することを課題とする。すなわち、概念的には図１４に示すようなＤＴＰ編集装置を提供することである。図１４でＤＴＰシステムからデータベースへ向かう太い実線は、オンラインの作業であることを示す。
【０００７】
【課題を解決するための手段】
課題を解決するための第１の発明は、商品スペック等の小区画部分の集合として構成される印刷製版データから、小区画部分毎に、指定された条件で文字情報を抽出してデータベースファイルを更新するＤＴＰ編集装置であって、
印刷製版データを作成し編集するＤＴＰ編集レイアウト手段と、
小区画部分から抽出すべき文字情報の項目を定義し、それら文字情報項目を印刷製版データから抽出する条件を設定する抽出項目設定手段と、
前記設定した抽出項目と、データベースの項目の対応を定義することで、データベースへの更新対象を特定する抽出項目とデータベース項目の対応手段と、
それぞれの小区画部分に対応した印刷製版データの文字図形オブジェクトを後に行う情報抽出の処理単位である抽出部品として定める抽出部品登録手段と、
前記抽出項目設定手段の設定に基づいて、印刷製版データから抽出すべき文字情報を特定して、対応するフィールド項目のデータとし、データベースファイルへの更新リクエストデータを作成する情報抽出手段と、
データベースとの論理的な接続およびデータベースへの更新リクエストの発行を行い、データベースとの接続、データベースの内容の更新および参照の諸機能をこのＤＴＰ編集装置に提供するデータベース接続手段と、
を備えることを特徴とするＤＴＰ編集装置である。
【０００８】
課題を解決する第２の発明は、コンピュータにインストールすることにより第１の発明に係るＤＴＰ編集装置を実現するための一連の命令を記述したコンピュータプログラムである。
【０００９】
【発明の実施の形態】
図１は、本発明の一実施形態であるＤＴＰ編集装置１の構成を示すブロック図である。１０は、グラフィックディスプレイ１１、キーボードおよびマウス１２、ハードディスク２０が接続されたコンピュータ本体である。ＤＴＰ編集装置１は、データベース３００を管理するサーバー装置３とネットワークを介して接続されて利用される。サーバー装置３のサーバーコンピュータ本体３０には、データベース３００のデータの登録参照更新を行うデータベース管理手段３１が備えられる。ＤＴＰ編集装置１のコンピュータ本体１０には、編集レイアウトソフトウエア１００、抽出項目設定手段１１０、抽出部品登録手段１２０、情報抽出手段１３０、データベース接続手段１４０、抽出項目とデータベース項目の対応付けを設定するデータベース項目対応付手段１５０、が備えられている。抽出項目設定手段１１０、抽出部品登録手段１２０、情報抽出手段１３０、データベース項目対応付手段１５０はコンピュータプログラムであり、編集レイアウトソフト１００に組込まれた形でインストールされ、編集レイアウトソフト１００のメニューから呼出されることにより動作する。データベース接続手段１４０は、ＤＴＰ編集装置１にサーバー装置３が管理しているデータベース３００のクライアント機能を提供するソフトウエアである。コンピュータ本体１０には、ハードディスク２０が備えられる。完成された印刷製版データファイルである下版データファイル２００、抽出設定値ファイル２０１、などがハードディスク２０に記録される。
【００１０】
図２は本発明の装置による下版データからの情報抽出の作業フローを示す流れ図である。以下この流れに沿って説明してゆく。まずステップＳ１で、作業者は下版データのどの情報抽出するかを決定する。図３は、下版データの一例である。図３（Ａ）は下版データ全体のイメージを示し、図３（Ｂ）は下版データを構成する小区画部分である。例として、作業者は、「商品番号」「商品名」「価格」「説明」「画像名（リンク画像のファイル名）」の部分を抽出するように決めたことにして説明を進める。なお、図１５には、参考として実際のＤＴＰドキュメントデータの小区画部分を示す。次にステップＳ２で、編集レイアウトソフト１００を起動し下版データを表示させる。この結果編集レイアウトソフト１００のメニューバー等が現われ、作業者は、様々な対話作業が可能となる（Ｓ３）。
【００１１】
ここで、編集レイアウトソフト１００の元々備わっているメニューコマンドを選択する場合は、それらのコマンドを実行する編集レイアウトソフトの処理ルーチンが実行される（Ｓ９）。メニュー操作（Ｓ３）によりデータベース接続を選択した場合は、データベース接続コマンドが実行される（Ｓ４）。図８に示すデータベース接続ダイアログが表示され、サーバーのホスト名、接続データベースの名前を指定することにより、データベース接続手段１４０の働きにより、指定されたデータベースへの接続がリクエストされ、実行される。
【００１２】
メニュー操作（Ｓ３）により抽出部品登録を選択した場合は、抽出部品登録手段１２０が呼出される（Ｓ６）。後に作成されるデータベースの１レコードとなる範囲を登録する。ステップＳ６の処理は、図３（Ｃ）に示すように、小区画部分ごとに小区画部分を構成する文字図形オブジェクトを表示画面上での対話操作により適切に選択した後、抽出部品登録のコマンドを指定することにより行う。この操作により１つの小区画部分を構成する幾つかの文字図形オブジェクトが１つの抽出部品としてグループ化されるわけである。なお小区画部分をコマとも呼ぶ。
【００１３】
編集レイアウトソフト１００により作成される印刷製版データは、ＤＴＰドキュメントデータとして様々な文字図形オブジェクトで構成されるが、それらのオブジェクトの中で代表的なものが文字ボックスと画像ボックスである。文字ボックスオブジェクトはそのプロパティ（属性値）として、版上の位置情報、ボックスサイズ、表示されるべき文字列データ、組版属性等を持つものとする。画像ボックスオブジェクトは、版上の位置情報、ボックスサイズ、リンク画像ファイル名等をそのプロパティとして持つものとする。
【００１４】
メニュー操作（Ｓ３）により抽出すべき情報の抽出条件設定を選択した場合は、抽出項目設定手段１１０が呼出される（Ｓ５）。抽出条件設定は、画像名についての抽出範囲設定と文字についての抽出範囲設定がある。「画像名」に関する抽出条件の設定は、１つの抽出部品において「画像名」と論理的にリンクすべき画像ボックスの位置情報とサイズ情報を設定する。一方、画像ボックスに関わりのない文字情報を抽出する場合は、後述する「マクロ定義」により抽出したい文字列の組版属性を設定する。組版属性とは、ここでは、使用フォント、文字サイズ、文字の色、文字の変形・飾り、文字種（日本語か英文字かなど）、文字数などの文字列の見た目に関わる属性である。印刷物の文字情報は、表示される文字列の意味内容に応じて見た目を変えることが普通なので組版属性を文字抽出の手がかりに用いるのである。次に、抽出したい文字情報の「抽出範囲」を設定する。
【００１５】
図４（Ａ）は、画像名に関する抽出範囲の設定ウインドウ５００である。下版データ表示上の１個のコマ（図４（Ｂ））の中で、対象画像ボックスの位置をコマの中の相対的な位置関係で指定し、その内容を設定ウインドウ５００に設定する。まず項目名には「画像名」を指定する。抽出されたデータは後述するデータベース項目対応付手段１５０により設定したデータベース上の任意の「画像名」フィールドに格納されることになる。項目「画像名」に結び付けられる画像ボックスは、コマの中で、左上から２番目の要素であるので、設定ウインドウ５００にはそのように設定する。ものによっては、コマ内の位置が固定されていない場合がある。そのような場合には、Ｂｏｘ位置を「無視」と設定し、設定ウインドウ５００の下部にあるＢｏｘサイズの指定によって抽出すべき部品の構成要素を特定する。いずれにしても、抽出部品内に複数の画像ボックスが存在する場合には、項目「画像名」に結び付けられる画像ボックスを適切に特定できるように設定しなければならないが、Ｂｏｘ位置とＢｏｘサイズの両方を指定すれば通常は十分である。
【００１６】
図４（Ｃ）は、画像ボックスに関わりのない文字情報を特定するための条件を設定するにあたり、まず必要なマクロ設定に用いる設定ダイアログ６００である。文字オブジェクトは、その文字列に適用される組版属性（使用フォント、文字サイズ、文字色等）を持つので、抽出対象とする文字オブジェクトを指定するマクロ名（ここでは“抽出する項目名”）とその項目に設定されている組版属性とを、設定ウインドウ６００にて設定する。尚図９は図４（Ｃ）の設定ウインドウ６００の詳細図である。必要な場合には文字の変形や文字飾りの属性を設定することも可能である。
【００１７】
図５（Ａ）は、文字情報を抽出するための「抽出範囲」の設定ダイアログ５０１である。設定ダイアログ５０１により抽出される文字列とデータベース項目との関係付けがなされる。項目名設定欄５１０、展開内容設定欄５１１、抽出範囲設定欄５１２が設けられている。まず項目名設定欄５１０には、データベースのレコードの項目名である「商品番号」「商品名」「価格」「説明」のどれかを指定する（図では「商品番号」を指定）。抽出範囲設定欄５１２には、文字列の抽出条件として抽出したい文字列の手がかりを与える指定と文字情報が持つ組版属性を与えるマクロ名を記述する。例えば、下版データで「商品番号」の前に必ずタブが入っている場合は、図５（Ａ）で抽出範囲に“＠タブ”と“＊商品番号”をつなげて指定する。“＠タブ”は抽出する文字列の始まりの手がかりの指定である。そして出力する文字列にはタブを含める必要がないので、展開内容設定欄５１１には“＊商品番号”と設定する。ここで抽出範囲や展開内容の設定には特定の文字または文字の並びを情報抽出手段１３０への引数として渡すための一定の規則が用いられていることを断っておく。例えば、項目「価格」に関して下版データ上で常に直前に“スペース”があり直後に“円”がある場合は、抽出範囲設定欄５１２に“＠空白＊売価％（円）”と指定する。すると抽出部品の中から直前にスペース文字が有り直後に“円”があるマクロ名“＊価格”の組版属性と一致する文字列を抽出することになる。
【００１８】
メニュー操作（Ｓ３）により「抽出項目とデータベース項目の対応」設定が選択された場合は、データベース項目対応付手段１５０が呼出され、図１６に示す設定ダイアログが表示されて、抽出項目とデータベース項目との対応づけを行う（Ｓ１０）。図１６の設定ダイアログにおいて、左側の列はデータベース項目を指定する設定欄である。各設定欄のプルダウンには、現在接続されているデータベースの項目一覧が取得されており、各設定欄について１つずつ、項目一覧からデータベース項目を一つ選択することができる。右側の列は、それまでの操作で設定済みの抽出項目を、矢印に示されている対応するデータベース項目に応じて設定する設定欄である。各設定欄のプルダウンには、設定ずみの抽出項目の項目一覧が取得されており、各設定欄について１つずつ、抽出項目を一つ選択することができる。、図１６に示す設定ダイアログにより、抽出項目とデータベースの項目との１対１の対応を定めることができる。なお、それまでの操作で複数の抽出項目を設定していた場合でも、このダイアログ上で対応付けしたデータベース項目だけが更新対象となる。これにより例えば、複数の抽出項目を設定済みであるが、価格のみ更新したいといった作業も可能となる。
【００１９】
これで抽出のために必要な設定が全て終り、図６に示す抽出設定値を記録した抽出設定値ファイル２０１が作成される。これで、抽出部品として登録したオブジェクトに対していつでも抽出が可能な状態となった。
【００２０】
メニュー操作（Ｓ３）により、抽出実行を選択した場合は、抽出する範囲を、選択した範囲のみ、指定した頁のみ、フォルダ内の全ドキュメントのどれかから選択して、情報抽出手段１３０による抽出処理を実行させて、登録した部品単位を同一レコードのまとまりとしたデータベースレコードの更新リクエストを作成する（Ｓ７）。図７はこの時作成される更新リクエストに含まれる抽出されたレコードデータを示したものである。行数は抽出部品の数に相当する。この内容を含む更新リクエストは、データベース接続手段１４０によりデータベース更新リクエストとしてサーバー装置３に送られ、サーバー装置でデータベース３００に対する更新処理が実行される（Ｓ８）。
【００２１】
抽出範囲設定ダイアログ５００（図４（Ａ））と５０１（図５（Ａ））は、説明しやすくするために単純化したものであって、実際の情報抽出装置１では図１０に示すダイアログ５０２を使用する。ダイアログ５０２では、文字ボックスに関係する抽出項目と画像ボックスに関係する抽出項目（リンク画像ファイル名）の両方に対応しており、抽出種別５１９で、そのどちらであるかを選択する。抽出部品の中に複数の文字ボックスが存在する場合は、画像ボックスの場合と同じようにＢｏｘ位置５１８、Ｂｏｘサイズ５１７で適当なボックスを選択するよう設定することができる。
【００２２】
抽出範囲設定欄５１２の設定だけでは、文字列を正しく抽出する条件を設定できない場合や、正しい設定を行うことが難しい場合があるのでダイアログ５０２では、文字抽出条件５２０の詳細指定欄を設け、チェックボックス５２１、５２２をチェックすることにより抽出する文字列の検索を開始する開始条件、終了条件を細かく指定することができるようになっている。例えば図１０では、開始条件５２４、５２６の設定により、文字ボックス内で、３行目の先頭から、タブが２個並びその次に文字列“ＳＴＡＲＴ”が出現した次の文字列から、抽出範囲設定欄５１２に設定された条件を満たす文字列の抽出を始める。また、終了条件５３４の設定により、文字列“ＥＮＤ”の出現で文字列の抽出を終了する。図１１（Ａ）は条件５２４、５２６の設定で抽出される開始位置を、図１１（Ｂ）に条件５３４の設定で抽出される終了位置を例示する。開始条件および終了条件の設定はオプションであり、必要のない場合は使用しなくてよい。使用する場合でも必要に応じてチェックボックス５２３、５２５、５３３、５３５を選択して必要な条件だけを利用することができる。
【００２３】
以上情報抽出装置１の作業の流れと抽出条件設定について説明した。次にこれまで述べた情報抽出装置１の働きがどのように実現されているかについて述べる。前述したように情報抽出装置１のコンピュータ本体１０には、抽出項目設定手段１１０、抽出部品登録手段１２０、情報抽出手段１３０、データベース項目対応付手段１５０、が編集レイアウトソフト１００に組込まれた状態でインストールされている。これらの各手段が編集レイアウトソフト１００上の対話操作によりメニューコマンド等から呼出されて動作することにより図２の各ステップが実現される。すなわち、ステップＳ６では抽出部品登録手段１２０が、ステップＳ５では抽出項目設定手段１１０が、ステップＳ７では情報抽出手段１３０が、ステップＳ１０ではデータベース項目対応付手段１５０が、それぞれ呼出され実行される。
【００２４】
抽出部品登録手段１２０は、ステップＳ６において、文字図形オブジェクトを表示画面上での対話操作により適切に選択した後、抽出部品登録のコマンドを指定すると、選択された個々の文字図形オブジェクトに部品番号を意味する属性値を設定する。後の処理では、文字図形オブジェクトに設定されている部品番号を意味する属性値を検査することによってそのオブジェクトがどの抽出部品に属するか、またはどれにも属さないか、を判別することができる。
【００２５】
抽出項目とデータベース項目との対応付けを行うデータベース項目対応付手段１５０は、ステップ１０において、抽出項目設定手段１１０で設定した抽出項目と、データベース接続手段１４０により指定されたデータベース３００上のデータベース項目の対応を設定することで、抽出項目設定手段１１０で設定した複数の抽出項目から、データベースへの更新対象となる項目を特定する。
【００２６】
図１２は、情報抽出手段１３０が呼出されたときに実行される情報抽出処理のフローチャートである。情報抽出手段１３０は呼出されるとまず、抽出項目設定手段１１０が作成した抽出設定値ファイル２０１を読込み抽出設定値を得る（Ｓ１００）。次に、抽出部品を特定するカウンタおよび項目を特定するカウンタを初期化する（Ｓ１０２、１０４）。次にこれから抽出する対象項目を設定する（Ｓ１０６）。次に部品番号で特定される抽出部品内で対象項目に対応する文字ボックスまたは画像ボックスオブジェクトを設定に基づいて選択する（Ｓ１０８）。次に選択したボックス内のオブジェクトのプロパティから対象項目の文字情報を抽出する（Ｓ１１０）。選択したボックスが文字ボックスの場合このステップは、まず、開始条件が設定されている場合は、条件の満たされる位置まで当該文字列（これもプロパティの１つである。以下対象文字列と呼ぶ）を走査し、対象文字列の開始位置からは、その位置の文字が抽出範囲５１２で設定された条件に一致するかどうかを検査して、抽出範囲５１２の条件を満たし、かつ終了条件に達する直前まで、対象文字列の文字をコピーして一時記憶バッファに記憶する。抽出が成功すればステップＳ１１２に進む。抽出に失敗した時（開始条件を満たす文字または部分文字列が見つからなかった場合、画像ボックスにリンク画像ファイル名が設定されていなかった場合、組版属性が一致していなかった場合、など）はログバッファに、（部品番号、項目名、失敗理由）を記録して（Ｓ１１４）ステップＳ１１６に進む。抽出に成功した場合は、テキストバッファの（部品番号、項目番号）の位置に一時記憶バッファに格納した文字列から展開内容に相当する部分を切出してこれを記録する（Ｓ１１２）。項目番号を１加え、全ての項目がおわりでなければステップＳ１０６に戻る（Ｓ１１６、１１８）。全ての項目が終ったら、部品番号を１加えて（Ｓ１２０）、まだ処理すべき抽出部品が残っているならば、次の抽出部品の処理を行うためにステップＳ１０４に戻る。最後に、ログバッファの内容を画面に警告表示し（１２４）、テキストバッファの展開内容から更新リクエストデータを作成する（Ｓ１２５）。この更新リクエストデータはデータベース接続手段１４０によりサーバー装置３のデータベース管理手段３１に送付され、データベース３００に更新がかけられる。
【００２７】
以上、本発明の一実施形態である情報抽出装置１について述べた。情報抽出装置１では、抽出項目設定手段１１０、抽出部品登録手段１２０、情報抽出手段１３０、データベース項目対応付手段１５０の各モジュールは編集レイアウトソフト１００に組込まれた形でインストールされており、編集レイアウトソフト１００のメニューから呼出されることにより動作するが、本発明の趣旨はこのような形態にのみ制限されるものではない。下版データを構成する文字図形オブジェクトの情報を適切にアクセスする手段を備えることができれば下版データを作成した編集レイアウトソフト１００とは独立したソフトウエアプログラムとして構成してもよい。
【００２８】
尚、実施形態の説明では、ＤＴＰ編集装置１とサーバー装置２がネットワークを介してクライアントサーバー形態でシステム構成されるものとして述べたが、ＤＴＰ編集装置１とサーバー装置２が同一のコンピュータに備えられる形態であってもよい。
【００２９】
【発明の効果】
以上詳しく説明してきたように本発明の情報抽出装置を用いれば、下版データの内容に合わせてデータベースを直す作業をＤＴＰ編集装置上で対話的に行うことが可能となるので、従来の作業方法に比べて、この作業を極めて簡単に行うことができるという顕著な効果を奏することができる。
【図面の簡単な説明】
【図１】本発明の一実施形態であるＤＴＰ編集装置１の全体構成図である。
【図２】ＤＴＰ編集装置１による下版データに基づくデータベース更新の作業フローを示す流れ図である。
【図３】抽出部品登録を説明する図である。
【図４】抽出範囲設定ダイアログ５００、マクロ定義ダイアログ６００の説明図である。
【図５】「抽出範囲」設定ダイアログ５０１である。
【図６】抽出設定値ファイルの説明図である。
【図７】更新リクエストに含まれる情報抽出手段１３０が抽出したデータを示した図である。
【図８】データベース接続ダイアログである。
【図９】マクロ定義設定ダイアログ６００である。
【図１０】抽出範囲設定ダイアログ５０２である。
【図１１】開始条件および終了条件の設定方法と意味を説明する図である。
【図１２】情報抽出手段１３０の動作を説明するフローチャートである。
【図１３】従来技術を説明する概念図である。
【図１４】本発明の概念を説明する図である。
【図１５】実際のＤＴＰドキュメントデータの小区画部分の例である。
【図１６】抽出項目とデータベース項目との対応を取るダイアログである。
【符号の説明】
１          ＤＴＰ編集装置
１０      コンピュータ本体
１１      グラフィックディスプレイ
１２      キーボードおよびマウス
２０      ハードディスク
３０      サーバーコンピュータ本体
３１      データベース管理手段
１００  編集レイアウトソフト
１１０  抽出項目設定手段
１２０  抽出部品登録手段
１３０  情報抽出手段
１４０  データベース接続手段
１５０  データベース項目対応付手段
２００  下版データファイル
２０１  抽出設定値ファイル
３００  データベースファイル
５００  抽出範囲設定ダイアログ
５０１  抽出範囲設定ダイアログ
５０２  抽出範囲設定ダイアログ
６００  マクロ定義設定ダイアログ
【図１】
2004171170.tif 000003
【図２】
2004171170.tif 000004
【図３】
2004171170.tif 000005
【図４】
2004171170.tif 000006
【図５】
2004171170.tif 000007
【図６】
2004171170.tif 000008
【図７】
2004171170.tif 000009
【図８】
2004171170.tif 000010
【図９】
2004171170.tif 000011
【図１０】
2004171170.tif 000012
【図１１】
2004171170.tif 000013
【図１２】
2004171170.tif 000014
【図１３】
2004171170.tif 000015
【図１４】
2004171170.tif 000016
【図１５】
2004171170.tif 000017
【図１６】
2004171170.tif 000018